(57)【要約】【課題】閲覧者の指示に基づき、配管計装アイソメ図の表示形態をカスタマイズし、そのカスタマイズした表示形態の情報を保存することができるようにする。【解決手段】配管計装アイソメ図表示システム１０は、配管計装データベース１１を管理するデータベースサーバ１に、配管計装アイソメ図を表示するアイソメ図表示装置２が通信ネットワーク３を介して接続されて構成される。アイソメ図表示装置２は、閲覧者によって入力される情報に基づき、配管および接続要素それぞれについての表示・非表示情報を設定する表示・非表示情報設定部２２と、その設定された表示・非表示情報を保存する表示・非表示情報ファイル２４と、アイソメ図を表示するに際し、非表示情報ファイル２４に以前に保存した表示・非表示情報が存在するか否かを判定し、存在するときには、その表示・非表示情報に基づきアイソメ図を表示するアイソメ図表示制御部２１を備える。【選択図】図１
2007188191.tif 000002
【特許請求の範囲】
【請求項１】
配管計装設備の配管計装情報を蓄積した配管計装データベースを管理するデータベースサーバに接続されて、前記配管計装情報のアイソメ図を表示する配管計装アイソメ図表示装置であって、
前記配管計装情報を構成する構成要素それぞれについて、その構成要素を前記アイソメ図に表示するか否かを定める表示・非表示情報を、入力される情報に基づき設定する表示・非表示情報設定手段と、
前記表示・非表示情報設定手段によって設定された前記配管計装情報の構成要素の表示・非表示情報を保存する表示・非表示情報保存手段と、
前記配管計装データベースから読み取った配管計装情報のアイソメ図を表示するに際し、前記表示・非表示情報保存手段にその配管計装情報について以前に保存した表示・非表示情報が存在するか否かを判定し、以前に保存した表示・非表示情報が存在するときには、その以前に保存した表示・非表示情報に基づき前記配管計装情報のアイソメ図を表示するアイソメ図表示制御手段と
を備えたことを特徴とする配管計装アイソメ図表示装置。
【請求項２】
前記表示・非表示情報設定手段は、
前記構成要素の種別を指定した表示・非表示情報が入力されたときには、その入力情報によって指定された種別の構成要素の表示・非表示情報を一括して設定すること
を特徴とする請求項１に記載の配管計装アイソメ図表示装置。
【請求項３】
前記表示・非表示情報設定手段は、
前記構成要素を個別に指定した表示・非表示情報が入力されたときには、その入力情報によって指定された構成要素の表示・非表示情報を個別に設定すること
を特徴とする請求項１または請求項２に記載の配管計装アイソメ図表示装置。
【請求項４】
前記表示・非表示情報設定手段は、
前記構成要素の識別名称を個別に指定した表示位置設定情報が入力されたときには、その入力された表示位置設定情報に基づき、前記構成要素の識別名称の表示位置情報を個別に設定すること
を特徴とする請求項１ないし請求項３のいずれか１項に記載の配管計装アイソメ図表示装置。
【請求項５】
配管計装設備の配管計装情報を蓄積した配管計装データベースを管理するデータベースサーバと、
前記データベースサーバ装置に接続されて、前記配管計装情報のアイソメ図を表示する配管計装アイソメ図表示装置と
を含んで構成された配管計装アイソメ図表示システムであって、
前記配管計装アイソメ図表示装置が、
前記配管計装情報を構成する構成要素それぞれについて、その構成要素を前記アイソメ図に表示するか否かを定める表示・非表示情報を、入力される情報に基づき設定する表示・非表示情報設定手段と、
前記表示・非表示情報設定手段によって設定された前記配管計装情報の構成要素の表示・非表示情報を保存する表示・非表示情報保存手段と
前記配管計装データベースから読み取った配管計装情報のアイソメ図を表示するに際し、前記表示・非表示情報保存手段にその配管計装情報について以前に保存した表示・非表示情報が存在するか否かを判定し、以前に保存した表示・非表示情報が存在するときには、その以前に保存した表示・非表示情報に基づき前記配管計装情報のアイソメ図を表示するアイソメ図表示制御手段と
を備えたことを特徴とする配管計装アイソメ図表示システム。
【請求項６】
配管計装設備の配管計装情報を蓄積した配管計装データベースを管理するデータベースサーバと、前記配管計装情報のアイソメ図を表示する配管計装アイソメ図表示装置とが接続されて構成され、
前記配管計装アイソメ図表示装置が、
前記配管計装情報を構成する構成要素それぞれについて、その構成要素を前記アイソメ図に表示するか否かを定める表示・非表示情報を、入力される情報に基づき設定する表示・非表示情報設定ステップと、
前記表示・非表示情報設定手段によって設定された前記配管計装情報の構成要素の表示・非表示情報を保存する表示・非表示情報保存ステップと、
前記配管計装データベースから読み取った配管計装情報のアイソメ図を表示するに際し、前記表示・非表示情報保存手段にその配管計装情報について以前に保存した表示・非表示情報が存在するか否かを判定し、以前に保存した表示・非表示情報が存在するときには、その以前に保存した表示・非表示情報に基づき前記配管計装情報のアイソメ図を表示するアイソメ図表示制御ステップと
を実行すること特徴とする配管計装アイソメ図表示方法。
【発明の詳細な説明】
【技術分野】
【０００１】
本発明は、プラントなどの建設物における配管および配管に付随する諸装置（以下、配管計装設備という）の３次元の配置構成を表示する配管計装アイソメ図表示装置、配管計装アイソメ図表示システムおよび配管計装アイソメ図表示方法に関する。
【背景技術】
【０００２】
プラントなどの建設に際しては、そのプラントなどにおける配管および配管に付随する諸装置の３次元配置の情報などを記載した配管計装線図が作成される。そして、そのプラントなどが完工した後は、その配管計装線図は、そのプラントなどにおける配管および配管に付随する諸装置の保守管理に際して使用される。
【０００３】
この配管計装線図は、通常、ＣＡＤ（Computer Aided Design）システムを用いて作成されるが、その作成過程において、所定区間の配管ごとに識別用の配管番号が付番され、また、それらの配管に付随して設けられる装置それぞれには、識別用の装置番号が付番される。そして、それらの配管番号や装置番号に関連付けられて、配管や装置の配置位置情報や接続情報などが配管計装線図を管理するデータベース（以下、配管計装データベースという）に登録される。
【０００４】
このようにして配管計装線図の情報が登録された配管計装データベースは、配管設備の建設および保守管理に際して、必要に応じ、適宜、閲覧される。このとき、配管計装線図は、等角投影図法で作図された、いわゆる、アイソメ（Isometric）図で表示される。
【０００５】
アイソメ図は、３次元の物体を平面（２次元）上に表示する場合に、従来から一般的に用いられている表示方法である。従って、ビルや家屋などの建物をアイソメ図で表示する多くのＣＡＤシステムが存在し、例えば、特許文献１や特許文献２においては、建物などにおける水道やガスの配管および付随する設備を表示するＣＡＤシステムの例が開示されている。そのようなＣＡＤシステムを利用すれば、プラントなどにおける配管計装図を表示することもできる。
【特許文献１】特開２００３−２３３６２７号公報（段落００４３〜段落００６１、図１２〜図１５）
【特許文献２】特開２００１−１８８８０９号公報（段落００１２〜段落００１４、図６）
【発明の開示】
【発明が解決しようとする課題】
【０００６】
化学プラントや発電プラントなどの大規模なプラントにおいては、通常、それが建設された後、そのプラントに含まれる配管および配管に付随する諸装置を日々保守管理することが求められる。また、そのような大規模なプラントにおける配管やその配管に付随する装置は、その種類も多く、しかも、広大な領域に設置される。そのため、その配管や配管に付随する装置は、種類ごとや設置領域ごとなどに分けられて管理されることが多い。従って、大規模なプラントなどにおける配管および配管に付随する諸装置が保守管理されるときには、複数、場合によっては多数の保守担当者によって、そのプラントの配管計装図、つまり、配管のアイソメ図が頻繁に閲覧される。
【０００７】
プラントの配管計装図などのアイソメ図表示は、特許文献１や特許文献２に開示されているＣＡＤシステムなどによって行うことができる。しかしながら、このようなＣＡＤシステムは、主として、家屋やビルなどの建物などの設計または建設の目的に使用されるものであって、大規模なプラントにおける配管計装設備の保守管理の目的に使用されることが想定されていない。すなわち、従来のＣＡＤシステムによって提供される配管のアイソメ図表示機能（アイソメ図ビューア）は、アイソメ図を繰り返し、かつ、頻繁に閲覧する配管計装設備の保守担当者などにとって、満足のいくものとなっていなかった。
【０００８】
例えば、配管計装設備の保守担当者は、大規模なプラントの配管計装図から自分が担当する部分の図面を切り出し、そのアイソメ図の表示形態などを自分が閲覧しやすいようにカスタマイズしたいと考える。しかしながら、従来のＣＡＤシステムによるアイソメ図ビューアは、アイソメ図の表示形態などをカスタマイズすることができなかったり、また、カスタマイズができても、カスタマイズした情報がディスク装置などに保存できなかったりする。そのため、配管計装設備の保守担当者は、見づらくてもアイソメ図ビューアが表示するアイソメ図をそのまま閲覧するか、閲覧するたびに見やすいようにカスタマイズするほかはなかった。
【０００９】
本発明の目的は、以上の従来技術の問題点に鑑み、閲覧者の指示に基づき、配管計装設備に係る配管計装情報のアイソメ図の表示形態をカスタマイズすることができ、さらに、そのカスタマイズした表示形態の情報を保存することができるようにした配管計装アイソメ図表示装置、配管計装アイソメ図表示システムおよび配管計装アイソメ図表示方法を提供することにある。
【課題を解決するための手段】
【００１０】
本発明の配管計装アイソメ図表示装置、配管計装アイソメ図表示システムおよび配管計装アイソメ図表示方法は、配管計装アイソメ図表示装置が、所定の配管計装設備に係る配管計装情報を構成する構成要素それぞれについて、その構成要素をアイソメ図に表示するか否かを定める表示・非表示情報を、閲覧者によって入力される情報に基づき設定する表示・非表示情報設定手段と、その表示・非表示情報設定手段によって設定された配管計装情報の構成要素の表示・非表示情報を保存する表示・非表示情報保存手段と、その配管計装情報のアイソメ図を表示するに際し、前記表示・非表示情報保存手段にその配管計装情報について以前に保存した表示・非表示情報が存在するか否かを判定し、以前に保存した表示・非表示情報が存在するときには、その以前に保存した表示・非表示情報に基づき前記配管計装情報のアイソメ図を表示するアイソメ図表示制御手段とを備えて構成されることを特徴とする。
【００１１】
本発明によれば、配管計装アイソメ図表示装置は、その表示・非表示情報設定手段によって、閲覧者が入力する指示情報に基づき、アイソメ図に表示する配管計装情報の構成要素を選択し、その選択した構成要素を表示したり、非表示にしたりすることができる。そして、配管計装アイソメ図表示装置は、そのとき選択して設定した構成要素の表示・非表示情報を表示・非表示情報保存手段に保存することができる。また、配管計装アイソメ図表示装置は、アイソメ図表示制御手段により、配管計装情報のアイソメ図を表示するときに、その配管計装情報について以前に保存した表示・非表示情報が存在するか否かを判定し、以前に保存した表示・非表示情報が存在する場合には、その以前に保存した表示・非表示情報に基づき、当該配管計装情報のアイソメ図を表示する。
【００１２】
従って、アイソメ図の閲覧者は、自己の担当業務に都合がいいようにアイソメ図の表示形態をカスタマイズすることができ、また、そのカスタマイズしたアイソメ図の表示形態の情報を保存することができる。さらには、そのアイソメ図を再閲覧する場合には、その保存したアイソメ図の表示形態の情報を利用して、以前にカスタマイズした表示形態を継承して、そのアイソメ図を再閲覧できるようになる。
【発明の効果】
【００１３】
本発明によれば、配管計装アイソメ図における構成要素の表示・非表示などの表示形態を容易にカスタマイズすることができるようになり、また、そのカスタマイズした表示形態を継承してアイソメ図を再閲覧できるようになるので、配管計装アイソメ図の閲覧を頻繁に必要とするような配管計装設備の保守管理業務などの効率向上を図ることができる。
【発明を実施するための最良の形態】
【００１４】
以下、本発明の実施形態について、図面を参照して詳しく説明する。
【００１５】
図１は、本発明の実施形態に係る配管計装アイソメ図表示システムの全体構成およびアイソメ図表示装置の構成の例を示した図である。図１に示すように、配管計装アイソメ図表示システム１０は、プラントなどにおける配管計装情報を蓄積した配管計装データベース１１を管理するデータベースサーバ１と、その配管計装情報のアイソメ図を表示する１つ以上のアイソメ図表示装置２とが、ＬＡＮ（Local Area Network）などの通信ネットワーク３を介して接続されて構成される。
【００１６】
図１において、アイソメ図表示装置２は、図示しないが、ＣＰＵ（Central Processing Unit）と、ＲＡＭ（Random Access Memory）などの半導体メモリからなる主記憶装置と、ハードディスク装置などからなる補助記憶装置と、ＬＣＤ（Liquid Crystal Display）などの表示装置と、キーボードやマウスなどの入力装置とを含んで構成される。
【００１７】
また、アイソメ図表示装置２は、機能ブロックとして、アイソメ図の表示を制御するアイソメ図表示制御部２１と、配管や接続要素の表示・非表示情報を設定する表示・非表示情報設定部２２とを含んで構成される。また、表示・非表示情報設定部２２は、その下位の機能ブロックとして、要素種別表示・非表示設定部２２１と、要素個別表示・非表示設定部２２２と、要素名称表示位置設定部２２３とを含んで構成される。
【００１８】
アイソメ図表示装置２の主記憶装置には、各種のプログラムがロードされており、前記した機能ブロックの機能は、ＣＰＵがその機能ブロックに対応するプログラムを実行することによって実現される。また、この主記憶装置には、これらのプログラムが実行されるときに使用される情報のテーブルの１つとして表示・非表示情報テーブル２３が設けられている。また、アイソメ図表示装置２の補助記憶装置には、表示・非表示情報テーブル２３の内容を保存する表示・非表示情報ファイル２４が設けられている。
【００１９】
以下、アイソメ図表示装置２の具体的な機能および構成について、表示画面の例、処理フローの例、テーブル構成の例などを示しながら詳しく説明する。
【００２０】
図２は、本実施形態に係るデータベースサーバの配管計装データベースに蓄積されている配管および配管接続要素の３次元配置情報の例を示した図である。ここで、配管接続要素とは、配管を接続する継手、バルブなどのほか、計器、ポンプなど配管に付随する諸装置をいう。
【００２１】
なお、本明細書では、「配管接続要素」を、単に、「接続要素」または「要素」と略すことがある。また、請求項でいう「配管計装装置の構成要素」には、「配管」および「配管接続要素」の両者を含む。また、本明細書では、配管計装データベース１１に蓄積されている配管および配管接続要素の３次元配置情報を「配管計装情報」という。
【００２２】
図２において、配管計装情報は、配管番号、接続要素ＩＤ、接続要素名称、座標ｘ、座標ｙ、座標ｚの各フィールドを含んで構成される。ここで、配管番号は、１つの配管系統ごとに付番された配管系統の識別情報である。また、接続要素ＩＤは、接続要素をユニークに識別するための識別情報、接続要素名称は、その接続要素に付与した名称である。なお、接続要素名称は、例えば、継手などには付与しなくてもよく、また、接続要素名称にその接続要素の種別を表わす文字列を含ませるようにしてもよい。また、座標（ｘ，ｙ，ｚ）は、プラントなどの実空間に固定された座標系において接続要素の配置位置を表わす座標値である。
【００２３】
図３は、本実施形態に係るアイソメ図表示装置に表示される配管計装アイソメ図の例を示した図である。図３において、太い実線は、配管の配置位置を表わし、頂点が連結された２つの３角形のシンボルは、装置などの接続要素を表わす。また、配管や接続要素のシンボルには、引き出し線が付され、その先端部には、その配管や接続要素の接続要素名称が表示される。
【００２４】
前記したように、配管計装アイソメ図は、プラントなどの３次元空間に配置された配管および配管接続要素を、液晶表示装置などの２次元表示画面上に表示したものである。従って、アイソメ図表示装置２は、配管および配管接続要素を表示するに当たっては、配管計装データベース１１に蓄積されている配管および配管接続要素それぞれの３次元座標（ｘ，ｙ，ｚ）を、２次元表示画面上に定義された座標系における２次元座標（ｕ，ｖ）に変換し、変換後の２次元座標（ｕ，ｖ）に基づき，その配管および配管接続要素を画面に表示する。
【００２５】
また、それに引き続き、あらかじめ定められたルールに従って、配管接続要素の接続要素名称および引き出し線の表示位置が算出され、その接続要素名称および引き出し線がその算出された座標値が示す画面位置に表示される。このようにして、全体の配管計装アイソメ図が表示される。
【００２６】
ところで、プラントなどにおける現実の配管は、冷水を通す配管、熱湯を通す配管、ガスを通す配管など多種多様の配管があり、また、プラントの複数の建物や区域にわたって通されている。従って、それらを１つのアイソメ図として表示すると、複雑になり、見にくくなる。
【００２７】
そこで、本実施形態に係るアイソメ図表示装置２においては、閲覧者が必要とする系統または種別の配管や接続要素などを選択して表示できるようにしている。図１において、表示・非表示情報設定部２２は、閲覧者が入力する情報に基づき、表示または非表示にする配管や接続要素の種別などを表示・非表示情報テーブル２３に設定する。そして、アイソメ図表示制御部２１は、その表示・非表示情報テーブル２３を参照し、その配管や接続要素の種別などについての表示・非表示情報に従って、アイソメ図を表示する。
【００２８】
図４は、本実施形態に係るアイソメ図表示装置が備える表示・非表示情報テーブルの構成の例を示した図である。図４に示すように、表示・非表示情報テーブル２３は、要素種別表示・非表示情報テーブル２３１と要素個別表示・非表示情報テーブル２３２とから構成される。
【００２９】
要素種別表示・非表示情報テーブル２３１は、配管系統、配管種別、要素種別ごとにその表示・非表示を指示するテーブルであり、要素種別および表示フラグの各フィールドを含んで構成される。例えば、図４の場合、「配管ＡＡ」と「装置Ｖ」に対応する表示フラグが「ＯＮ」、「配管ＢＢ」と「装置Ｗ」と「装置Ｘ」に対応する表示フラグが「ＯＦＦ」となっている。この場合には、例えば、図３に示したアイソメ図のように、要素種別が「配管ＡＡ」に属する配管と「装置Ｖ」に属する装置のみが表示され、要素種別が「配管ＢＢ」に属する配管と、「装置Ｗ」および「装置Ｘ」に属する装置は存在しても表示されない。
【００３０】
要素個別表示・非表示情報テーブル２３２は、配管接続要素の表示・非表示を個別的に指示するテーブルであり、接続要素名称、座標ｕ、座標ｖ、表示フラグの各フィールドを含んで構成される。ここで、座標（ｕ，ｖ）は、表示画面上で接続要素名称の文字が表示される位置を表わす。また、表示フラグが「ＯＮ」は、その接続要素を表示固定にし、表示フラグが「ＯＦＦ」は、その接続要素を非表示固定にすることを意味する。すなわち、接続要素が表示固定（ＯＮ）にされた接続要素は、要素種別表示・非表示情報テーブル２３１でその接続要素が属する種別の接続要素が非表示（ＯＦＦ）とされても、その接続要素は表示される。逆に、接続要素が非表示固定（ＯＦＦ）にされた接続要素は、要素種別表示・非表示情報テーブル２３１でその接続要素が属する種別の接続要素が表示（ＯＮ）とされても、その接続要素は表示されない。なお、表示固定でも非表示固定でもない接続要素に対しては、「ＮＵＬＬ」が設定される。
【００３１】
これらの要素種別表示・非表示情報テーブル２３１および要素個別表示・非表示情報テーブル２３２を含む表示・非表示情報テーブル２３に記憶されている情報は、当該アイソメ図の閲覧者がその閲覧を終了するときに、閲覧者が入力する入力情報に基づき、適宜、表示・非表示情報ファイル２４に保存される。
【００３２】
図５は、本実施形態に係るアイソメ図表示装置におけるアイソメ図表示制御部の処理フローの例を示した図である。
【００３３】
アイソメ図表示装置２は、閲覧者が入力するユーザＩＤ、パスワードなどに基づき、通信ネットワーク３を介してデータベースサーバ１に接続する（ステップＳ１０）。そして、配管計装データベース１１にアクセスして、その閲覧者のユーザＩＤなどに関連付けられた配管計装情報を取得し（ステップＳ１１）。取得した配管計装情報を主記憶装置または補助記憶装置に記憶する。
【００３４】
次に、アイソメ図表示装置２は、取得した配管計装情報に対応する表示・非表示情報ファイル２４がその補助記憶装置に存在するか否かを判定する（ステップＳ１２）。その判定の結果、表示・非表示情報ファイル２４が存在した場合には（ステップＳ１２でＹｅｓ）、閲覧者に対し、その表示・非表示情報ファイル２４に保存されている前回の表示・非表示情報を継承するか否かを指示する入力を求める。そして、それに対する閲覧者の指示入力が前回の表示・非表示情報を継承するものであった場合には（ステップＳ１３でＹｅｓ）、アイソメ図表示装置２は、補助記憶装置から表示・非表示情報ファイル２４を読み出し、その記憶されている情報を主記憶装置の表示・非表示情報テーブル２３に設定する（ステップＳ１４）。
【００３５】
一方、ステップＳ１２の判定で、表示・非表示情報ファイル２４が存在しなかった場合（ステップＳ１２でＮｏ）、および、ステップＳ１３の判定で、前回の表示・非表示情報を継承しないものであった場合（ステップＳ１３でＮｏ）には、アイソメ図表示装置２は、所定の初期設定情報を表示・非表示情報テーブル２３に設定する（ステップＳ１５）。
【００３６】
以上のようにして、表示・非表示情報テーブル２３に、図４に示したような情報が設定されると、アイソメ図表示装置２は、ステップＳ１１で取得した配管計装情報の３次元情報に基づきアイソメ図を生成し、また、表示・非表示情報テーブル２３に格納されている配管および配管接続要素の表示・非表示情報に従って、その生成したアイソメ図をＬＣＤなどの表示装置に表示する（ステップＳ１６）。
【００３７】
その後、アイソメ図表示装置２は、閲覧者が入力する指示情報（コマンド）に基づき、表示されているアイソメ図について、拡大、縮小、スクロールなど種々の表示処理を実行する（ステップＳ１７）。そして、その種々の表示処理の一部として、表示・非表示情報設定部２２の処理も、適宜、実行される。
【００３８】
また、アイソメ図表示装置２は、閲覧者が入力するコマンドがアイソメ図表示を終了するものであるか否かを判定する（ステップＳ１８）。そして、その判定の結果、アイソメ図表示を終了するものでない場合には（ステップＳ１８でＮｏ）、アイソメ図表示装置２は、継続してステップＳ１７を実行する。
【００３９】
一方、ステップＳ１８の判定で、閲覧者が入力するコマンドがアイソメ図表示を終了するものであった場合には（ステップＳ１８でＹｅｓ）、アイソメ図表示装置２は、閲覧者に対し、表示・非表示情報テーブル２３に設定されている表示・非表示情報を表示・非表示情報ファイル２４に保存するか否かを指示する入力を求める（ステップＳ１９）。そして、それに対する閲覧者の指示入力が表示・非表示情報を保存するものであった場合には（ステップＳ１９でＹｅｓ）、アイソメ図表示装置２は、表示・非表示情報テーブル２３に設定されている表示・非表示情報を表示・非表示情報ファイル２４に保存し（ステップＳ２０）、アイソメ図表示制御部２１の処理を終了する。また、閲覧者の指示入力が表示・非表示情報を保存するものでなかった場合には（ステップＳ１９でＮｏ）、ステップＳ２０を実行せずに、アイソメ図表示制御部２１の処理を終了する。
【００４０】
図６は、本実施形態に係るアイソメ図表示装置における表示・非表示情報設定部２２の処理フローの例を示した図である。以下、図７〜図１０を併せて参照しながら、図６の表示・非表示情報設定部２２の処理フローの詳細について説明する。
【００４１】
アイソメ図表示制御部２１の処理によってアイソメ図がアイソメ図表示装置２の表示装置に表示されると、アイソメ図の閲覧者は、自己の担当業務にとって都合がいいようにそのアイソメ図の表示形態をカスタマイズする。すなわち、アイソメ図として表示するプラントなどの配管計装設備が大規模であればあるほど、表示されるアイソメ図は複雑になるので、通常、閲覧者は、自己の担当業務に関係のある配管系統または区域の配管のみを選択して表示する。表示・非表示情報設定部２２は、表示・非表示情報テーブル２３に閲覧者が所望する表示形態を実現する情報を設定することによって、閲覧者がその表示形態をカスタマイズするのをサポートする。
【００４２】
図６において、アイソメ図表示装置２は、まず、閲覧者が入力するコマンドを取得する（ステップＳ３０）。そのコマンドは、例えば、表示装置の表示画面のメニューバーやマウスの右クリックメニューなどに表示され、閲覧者がそのメニューバーや右クリックメニューなどから所望のコマンドを選択することによって入力される。
【００４３】
次に、アイソメ図表示装置２は、取得したコマンドが要素種別表示・非表示設定コマンドであるか否かを判定する（ステップＳ３１）。その判定の結果、そのコマンドが要素種別表示・非表示設定コマンドであった場合には（ステップＳ３１でＹｅｓ）、アイソメ図表示装置２は、そのコマンドに付随する情報から表示または非表示にする配管または接続要素の種別に係る情報、つまり、要素種別表示・非表示情報を取得する（ステップＳ３２）。次に、アイソメ図表示装置２は、その取得した要素種別表示・非表示情報を要素種別表示・非表示情報テーブル２３１に設定する（ステップＳ３３）。そして、その設定した要素種別表示・非表示情報テーブル２３１に基づき、アイソメ図を再表示する（ステップＳ４０）。
【００４４】
図７は、本実施形態に係るアイソメ図表示装置における要素種別表示・非表示設定コマンドについて、（ａ）操作前のコマンドメニューの表示例、（ｂ）操作時のコマンドメニューの表示例を示した図である。また、図８は、本実施形態に係るアイソメ図表示装置における要素種別表示・非表示設定コマンドについて、（ａ）操作前のアイソメ図の表示画面の例、（ｂ）操作後のアイソメ図の表示画面の例を示した図である。
【００４５】
図７に示すように、要素種別表示・非表示設定コマンドは、表示画面のメニューバーに、例えば「要素種別選択」などと表示される。そこで、閲覧者などが、その表示された「要素種別選択」メニューを選択すると、さらに、配管の種別や接続要素の種別（以下、要素種別という）がプルダウン表示される。そのプルダウン表示された要素種別には、それぞれチェックボックスが設けられ、そのチェックボックスにチェックマークを入れるか入れないかによって、その要素種別の表示・非表示を指示する。従って、閲覧者は、このチェックボックスのチェックマークを自由に再設定することによって、アイソメ図において所望の要素種別を表示したり、非表示にしたりすることができる。
【００４６】
図７（ａ）の例では、要素種別表示・非表示設定コマンドを操作する前には、配管ＡＡと装置Ｖにチェックマークが入れられている。従って、このコマンド操作前のアイソメ図（図８（ａ）参照）では、チェックマークが入れられた種別が配管ＡＡに属する接続要素と装置種別が装置Ｖに属する接続要素のみが表示されている。
【００４７】
そして、閲覧者が、例えば、図７（ｂ）に示すように、配管ＡＡのチェックボックスのチェックマークを消去した状態で要素種別表示・非表示設定コマンドを実行すると、図８（ｂ）に示すように種別が配管ＡＡに属する接続要素が表示されなくなる。また、例えば、図７（ｂ）で装置Ｗのチェックボックスにチェックマークが入れられていた場合には、装置Ｗに属する接続要素が表示される（図示せず）。
【００４８】
再び、図６を参照して、表示・非表示情報設定部２２の処理フローの説明を続ける。アイソメ図表示装置２は、ステップＳ３１の判定において、入力コマンドが要素種別表示・非表示設定コマンドでなかった場合には（ステップＳ３１でＮｏ）、さらに、そのコマンドが要素個別表示・非表示設定コマンドであるか否かを判定する（ステップＳ３４）。
【００４９】
そして、その判定の結果、そのコマンドが要素個別表示・非表示設定コマンドであった場合には（ステップＳ３４でＹｅｓ）、アイソメ図表示装置２は、そのコマンドに付随する情報から表示または非表示にする接続要素に係る情報、つまり、要素個別表示・非表示情報を取得する（ステップＳ３５）。次に、アイソメ図表示装置２は、その取得した要素個別表示・非表示情報を要素個別表示・非表示情報テーブル２３２に設定する（ステップＳ３６）。そして、その設定した要素個別表示・非表示情報テーブル２３２に基づき、アイソメ図を再表示する（ステップＳ４０）。
【００５０】
図９は、本実施形態に係るアイソメ図表示装置における要素個別表示・非表示設定コマンドについて、（ａ）操作時のコマンドメニューおよびアイソメ図を表示した表示画面の例、（ｂ）操作後のアイソメ図を表示した表示画面の例を示した図である。
【００５１】
要素個別表示・非表示設定コマンドの場合には、アイソメ図表示装置２は、図９に示すように、閲覧者が所望の接続要素を選択して右クリックすることにより、そのコマンドメニューを表示する。そして、そのコマンドメニューには、例えば、表示固定、非表示、表示固定解除が表示される。なお、図９において、白黒反転文字は、その接続要素が選択されていることを意味する。
【００５２】
そこで、閲覧者がそのコマンドメニューから表示固定を選択すると、先に選択された接続要素は、常に表示されることになる。すなわち、表示固定にされた接続要素は、たとえ、要素種別表示・非表示設定コマンドによってその接続要素が含まれる種別の接続要素が非表示にされても、その接続要素は表示されたままとなる。
【００５３】
また、同様に、閲覧者がそのコマンドメニューから非表示固定を選択すると、先に選択された接続要素は、常に非表示されることになる。すなわち、非表示固定にされた接続要素は、たとえ、要素種別表示・非表示設定コマンドによってその接続要素が含まれる種別の接続要素が表示にされても、その接続要素は表示されないままとなる。
【００５４】
また、閲覧者がそのコマンドメニューから表示固定解除を選択すると、先に選択された接続要素に設定されていた表示固定の状態は解除される。すなわち、その接続要素は、要素種別表示・非表示設定コマンドによってその接続要素が含まれる種別の接続要素が非表示にされると、もとのようにその接続要素は表示されなくなる。
【００５５】
図９（ａ）の例では、閲覧者は、要素種別が装置Ｖの接続要素Ｖ００２を選択し、その接続要素Ｖ００２を非表示固定にしようとしている。従って、そのコマンドを実行すると、図９（ｂ）のように、接続要素Ｖ００２が属する要素種別である装置Ｖが表示状態であっても、接続要素Ｖ００２は表示されなくなる。
【００５６】
なお、要素個別表示・非表示設定コマンドを実行すると、要素個別表示・非表示情報テーブル２３２の表示フラグは、それぞれ、次のように設定される。（１）表示固定が選択された場合には、そのコマンドによって選択された接続要素の表示フラグに、「ＯＮ」が設定される。（２）非表示固定が選択された場合には、そのコマンドによって選択された接続要素の表示フラグに、「ＯＦＦ」が設定される。（３）表示固定解除が選択された場合には、そのコマンドによって選択された接続要素の表示フラグに、「ＮＵＬＬ」が設定される。なお、この表示フラグの初期状態は、「ＮＵＬＬ」である。
【００５７】
再び、図６を参照して、表示・非表示情報設定部２２の処理フローの説明を続ける。アイソメ図表示装置２は、ステップＳ３４の判定において、入力コマンドが要素個別表示・非表示設定コマンドでなかった場合には（ステップＳ３４でＮｏ）、さらに、そのコマンドが接続要素名称位置設定コマンドであるか否かを判定する（ステップＳ３７）。
【００５８】
そして、その判定の結果、そのコマンドが接続要素名称位置設定コマンドであった場合には（ステップＳ３７でＹｅｓ）、アイソメ図表示装置２は、そのコマンド操作によって選択され、移動された接続要素名称の移動先の座標位置情報を取得する（ステップＳ３８）。次に、アイソメ図表示装置２は、その取得した接続要素名称の移動先の座標位置情報を要素個別表示・非表示情報テーブル２３２に設定する（ステップＳ３９）。そして、その設定した要素個別表示・非表示情報テーブル２３２に基づき、アイソメ図を再表示する（ステップＳ４０）。
【００５９】
図１０は、本実施形態に係るアイソメ図表示装置における接続要素名称位置設定コマンドについて、（ａ）操作前のアイソメ図の表示画面の例、（ｂ）操作時のアイソメ図の表示画面の例を示した図である。
【００６０】
接続要素名称位置設定コマンドは、図１０（ａ）に示すように、表示したアイソメ図において接続要素名称の表示が重なるなどして（図では「ＡＡ−０２」と「ＡＡ−０３」とに重なりがある）、アイソメ図が見にくい場合には、その一方を移動するなどして、その表示の重なりなどを解消し、アイソメ図を見やすくするために使用される。
【００６１】
すなわち、閲覧者は、図１０（ｂ）に示すように、アイソメ図の表示画面上で、接続要素名称の一方をマウスなどによって選択し（図では、「ＡＡ−０２」が白黒反転表示され、選択されたことを示している）、選択した接続要素名称を新たな表示位置までドラッグする。そうすると、アイソメ図表示装置２は、その新たな表示位置の座標位置情報（ｕ，ｖ）を取得し、取得した座標位置情報（ｕ，ｖ）により要素個別表示・非表示情報テーブルの当該接続要素名称についての座標ｕ、座標ｖのフィールドを更新する。
【００６２】
その結果、アイソメ図において接続要素名称の重なりが解消され、そのアイソメ図が見やすくなる。なお、図１０には、操作後の表示例は示されていないが、図３に示したアイソメ図の表示例がこの場合の操作後の表示例に相当している。
【００６３】
なお、このような接続要素名称位置設定コマンドを設けたのは、通常、アイソメ図表示装置２が接続要素名称の表示位置を自動的に決定するので、３次元座標を２次元平面に投影するときの座標軸の設定や縮尺など全ての場合を考慮して、接続要素名称の表示が重ならないようにするのは困難だからである。特に、プラントなどの配管計装などアイソメ図が大規模で複雑になる場合には、接続要素名称の表示が重なることが多い。そのような場合、閲覧者は、接続要素名称位置設定コマンドを用いてアイソメ図を見やすくすることができる。
【００６４】
再び、図６を参照して、表示・非表示情報設定部２２の処理フローの説明を続ける。アイソメ図表示装置２は、ステップＳ３７の判定において、入力コマンドが要素個別表示・非表示設定コマンドでなかった場合には（ステップＳ３７でＮｏ）、入力コマンドは、表示・非表示情報設定部２２の機能に属するいずれのコマンドでもないことになるので、表示・非表示情報設定部２２の処理を終了する。
【００６５】
以上、本実施形態によれば、アイソメ図表示装置２は、閲覧者が入力する指示情報に基づき、アイソメ図における表示形態を設定、つまり、表示・非表示する配管や接続要素を種別ごとまたは個別に設定することができる。そして、その設定した表示形態の情報をハードディスク装置などの補助記憶装置に保存することができる。すなわち、閲覧者は、自己の業務に都合がよくなるように、アイソメ図の表示形態をカスタマイズすることができ、また、そのカスタマイズした表示形態の情報を補助記憶装置に保存することができる。従って、閲覧者は、そのアイソメ図を再閲覧する場合には、以前にカスタマイズし、保存した表示形態の情報を利用することができるので、再度、アイソメ図をカスタマイズする必要はなくなる。そのため、アイソメ図の閲覧を伴うプラントなどの配管計装設備の保守作業の効率を向上させることができる。
【図面の簡単な説明】
【００６６】
【図１】本発明の実施形態に係る配管計装アイソメ図表示システムの全体構成およびアイソメ図表示装置の構成の例を示した図である。
【図２】本発明の実施形態に係るデータベースサーバの配管計装データベースに蓄積されている配管および配管接続要素の３次元配置情報の例を示した図である。
【図３】本発明の実施形態に係るアイソメ図表示装置に表示される配管計装アイソメ図の例を示した図である。
【図４】本発明の実施形態に係るアイソメ図表示装置が備える表示・非表示情報テーブルの構成の例を示した図である。
【図５】本発明の実施形態に係るアイソメ図表示装置におけるアイソメ図表示制御部の処理フローの例を示した図である。
【図６】本発明の実施形態に係るアイソメ図表示装置における表示・非表示情報設定部の処理フローの例を示した図である。
【図７】本発明の実施形態に係るアイソメ図表示装置における要素種別表示・非表示設定コマンドについて、（ａ）操作前のコマンドメニューの表示例、（ｂ）操作時のコマンドメニューの表示例を示した図である。
【図８】本発明の実施形態に係るアイソメ図表示装置における要素種別表示・非表示設定コマンドについて、（ａ）操作前のアイソメ図の表示画面の例、（ｂ）操作後のアイソメ図の表示画面の例を示した図である。
【図９】本発明の実施形態に係るアイソメ図表示装置における要素個別表示・非表示設定コマンドについて、（ａ）操作時のコマンドメニューおよびアイソメ図を表示した表示画面の例、（ｂ）操作後のアイソメ図を表示した表示画面の例を示した図である。
【図１０】本発明の実施形態に係るアイソメ図表示装置２における接続要素名称位置設定コマンドについて、（ａ）操作前のアイソメ図の表示画面の例、（ｂ）操作後のアイソメ図の表示画面の例を示した図である。
【符号の説明】
【００６７】
１      データベースサーバ
２      アイソメ図表示装置
３      通信ネットワーク
１０    配管計装アイソメ図表示システム
１１    配管計装データベース
２１    アイソメ図表示制御部
２２    表示・非表示情報設定部
２３    表示・非表示情報テーブル
２４    表示・非表示情報ファイル
２２１  要素種別表示・非表示設定部
２２２  要素個別表示・非表示設定部
２２３  要素名称表示位置設定部
２３１  要素種別表示・非表示情報テーブル
２３２  要素個別表示・非表示情報テーブル
【図１】
2007188191.tif 000003
【図２】
2007188191.tif 000004
【図３】
2007188191.tif 000005
【図４】
2007188191.tif 000006
【図５】
2007188191.tif 000007
【図６】
2007188191.tif 000008
【図７】
2007188191.tif 000009
【図８】
2007188191.tif 000010
【図９】
2007188191.tif 000011
【図１０】
2007188191.tif 000012